(57)【特許請求の範囲】
【請求項１】
磁気テープを巻装した単一のリールがカートリッジケース内に回転可能に収容され、かつ前記磁気テープの一端を引き出すために前記カートリッジケースの一側面に形成されたテープ引出し用開口部を開閉するスライドドアが前記カートリッジケースの一側面に摺動可能に設けられ、前記磁気テープの先端部に取り付けられたリーダーピンが前記テープ引出し用開口部内に着脱可能に収容されるように構成された磁気テープカートリッジにおいて、
前記テープ引出し用開口部が、前記カートリッジケースの上面および下面が側面の開口部から内方に切り欠かれて上面および下面に跨がって形成され、
前記リーダーピンは、磁気テープの先端部をクランプした中央軸部と、該中央軸部の上下の細径部と、両端部のフランジとを備え、
前記リーダーピンを保持する上下一対の保持アームが前記カートリッジケースの上ハーフおよび下ハーフに設置され、該保持アームは、上ハーフおよび下ハーフに固着された基端より前記テープ引出し用開口部に延びる柄部と、該柄部の先端に形成され前記リーダーピンの上下の細径部を着脱可能に保持する二股状の保持片とを備え、
前記保持アームに軸線を上下方向として保持された前記リーダーピンが、前記スライドドアの開位置において外部装置のテープ引出し機構によって上下から掴まれることが可能なように上下フランジ端面の上方および下方が開放された態様で、前記テープ引出し用開口部内に収容され、
前記スライドドアが、その閉位置において前記テープ引出し用開口部の前方、上方および下方をそれぞれ覆う前壁部、上壁部および下壁部を備えていることを特徴とする磁気テープカートリッジ。
【発明の詳細な説明】
【０００１】
【発明の属する技術分野】
本発明は、磁気テープを巻装した単一のリールがカートリッジケース内に回転可能に収容された磁気テープカートリッジに関し、特に、磁気テープの一端を引き出すためのテープ引出用開口部を開閉するスライドドアを備えた磁気テープカートリッジに関するものである。
【０００２】
【従来の技術】
従来、コンピュータ等の外部記憶装置に用いられる記録媒体として使用されている磁気テープカートリッジには、磁気テープを巻装した単一のリールが、上ハーフと下ハーフとからなるほぼ正方形の平面形を有する偏平なカートリッジケース内に回転可能に収容されているものがある。これらの磁気テープカートリッジは主としてコンピュータメモリのバックアップとして用いられる。
【０００３】
従来のこの種の磁気テープカートリッジには、例えば２種類の形式があって、その１つは、不使用時に磁気テープが完全にリールに巻き込まれた状態で、磁気テープの先端部分が、カートリッジケースの一隅に形成されたテープ引出し用開口部を覆うように収容されるリーダーブロックに係止されるように構成されている。
【０００４】
また、他の形式のものは、カートリッジケースの一側面に形成されたテープ引出し用開口部にカートリッジ平面方向に回動開閉可能なリッドが、閉位置に向かってばね付勢された態様で、かつカートリッジ不使用時には回動しないように、ロック位置にばね付勢されたリッドロックにより閉位置に係止される態様で取り付けられていて、このテープ引出し用開口部内に組み込まれるフックに磁気テープの先端部分が係止されるように構成されたものとがある。
【０００５】
このような構成を有する磁気テープカートリッジが、対応する外部記憶装置の記録再生装置にセットされると、下ハーフの中央部に露呈しているリールの係合歯に装置側の回転駆動手段が係合するとともに、前者の場合には、装置側のテープ引出し機構により上記リーダーブロックがそのまま磁気テープとともに引き出されることによって、また後者の場合には、装置側のテープ引出し機構により先にリッドが開かれてから、上記フックが磁気テープとともに引き出されることによって、磁気テープがテープ走行路の所定位置に引き込まれ、磁気テープへのデータの書込み／読出しが可能になる。
【０００６】
【発明が解決しようとする課題】
ところで、上述した２種類の磁気テープカートリッジのうち、前者のリーダーブロックを用いるものは、テープ引出しに際してリーダーブロックを掴んで引き出すだけでよいから装置側のテープ引出し機構が簡単になる長所はあるものの、カートリッジ不使用時にテープ引出し用開口部とリーダーブロックとの間の隙間からカートリッジ内部に塵埃が侵入しやすいという欠点があった。
【０００７】
一方、後者の開閉リッド形式のものは、カートリッジ内部に塵埃が侵入しやすいという問題は解決されてはいるものの、テープ引出しに際して、先ずリッドロックを解除してからリッドを開かなければならないから、装置側のテープ引出し機構が複雑になるとともに、回動型のリッドの回動スペースを必要とするという問題があった。また、カートリッジ側においても、カートリッジ組立て時において、リッド付勢用のトーションばねおよびリッドロック付勢用のコイルばねの組み込みに工数を要するという問題もあった。
【０００８】
そこで、カートリッジケースの一側面に形成されたテープ引出し用開口部を開閉するためのスライドドアを備えた構成が提案されている。その場合、テープ引出用開口部の内側には、磁気テープの先端部分をクランプしたリーダーピンがその軸線を上下方向として、カートリッジケースの上壁と下壁との間のスペースに着脱可能に保持されるようになっている。
【０００９】
この場合のリーダーピンは、磁気テープの先端部分をクランプした中央軸部の上下に細径部を備え、かつその両端部に、リーダーピンをカートリッジケースに係合保持するフランジを備えており、この磁気テープカートリッジが対応する外部記憶装置等の記録再生装置に挿入されると、装置側の部材によってスライドドアが開かれ、かつテープ引出し機構により上記細径部を側方から掴まれたリーダーピンが磁気テープとともに装置側に引き込まれることによって、磁気テープが装置側にセットされ、磁気テープに対するデータの書込み／読出しが可能になる。
【００１０】
ところが、このようなリーダーピンは極めて小型なため、その細径部（直径約１．６mm程度）を側方から掴んでリーダーピンを引き出すためには、外部装置に設けられるテープ引出し機構の設計に厳密さが要求されるという問題が生じる。
【００１１】
上述の事情に鑑み、本発明は、磁気テープを巻装した単一のリールがカートリッジケース内に回転可能に収容され、かつ磁気テープの一端を引き出すためにカートリッジケースの一側面に形成されたテープ引出し用開口部を開閉するスライドドアがカートリッジケースの一側面に摺動可能に設けられ、磁気テープの先端部に取り付けられたリーダーピンが上記テープ引出し用開口部内に着脱可能に収容されるように構成された磁気テープカートリッジにおいて、外部装置に設けられるテープ引出し機構の設計の自由度を増大させることを目的とするものである。
【００１２】
【課題を解決するための手段】
本発明による磁気テープカートリッジにおいては、上記テープ引出し用開口部が、カートリッジケースの上面および下面が側面の開口部から内方に切り欠かれて上面および下面に跨がって形成され、リーダーピンは、磁気テープの先端部をクランプした中央軸部と、該中央軸部の上下の細径部と、両端部のフランジとを備え、上記リーダーピンを保持する上下一対の保持アームが上記カートリッジケースの上ハーフおよび下ハーフに設置され、該保持アームは、上ハーフおよび下ハーフに固着された基端より前記テープ引出し用開口部に延びる柄部と、該柄部の先端に形成されリーダーピンの上下の細径部を着脱可能に保持する二股状の保持片とを備え、上記保持アームに軸線を上下方向として保持されたリーダーピンが、スライドドアの開位置において外部装置のテープ引出し機構によって上下から掴まれることが可能なように上下フランジ端面の上方および下方が開放された態様で、このテープ引出し用開口部内に収容され、上記スライドドアが、その閉位置において上記テープ引出し用開口部の前方、上方および下方をそれぞれ覆う前壁部、上壁部および下壁部を備えているとを特徴とするものである。
【００１３】
【発明の効果】
本発明によれば、テープ引出し用開口部が、カートリッジケースの側面から上面および下面に跨がって形成されているので、カートリッジケース内に保持されたリーダーピンの上方および下方にはカートリッジケースの壁が存在しないことになり、外部装置のテープ引出し機構によって、リーダーピンを上下から掴むことが可能になるのみでなく、リーダーピンの軸線方向の寸法を長くすることも可能になり、テープ引出し機構の設計の自由度を増大させることができる。
【００１４】
そして、スライドドアが、その閉位置においてテープ引出し用開口部の前方、上方および下方をそれぞれ覆う前壁部、上壁部および下壁部を備えていることにより、テープ引出し用開口部が、カートリッジケースの側面から上面および下面に跨がって形成されている場合であっても、閉位置に移動したスライドドアによってテープ引出し用開口部を完全に覆うことができる。
【００１５】
【発明の実施の形態】
以下、本発明の実施の形態を図面に基づいて詳細に説明する。
【００１６】
図１および図２は、本発明による磁気テープカートリッジの斜視図を示し、図１はそのスライドドアの閉状態を、図２はスライドドアの開状態をそれぞれ示す。また、図３は要部の拡大断面図、図４は図３のIV−IV線に沿った断面図である。
【００１７】
磁気テープカートリッジには、上ハーフ１ａと下ハーフ１ｂとからなるカートリッジケース１内に、磁気テープを巻装した単一のリールが回転可能に収容されている。カートリッジケース１の一側面には、図２から明らかなように、磁気テープの一端を引き出すためのテープ引出用開口部２が、カートリッジケース１の側面から上面および下面にまで跨がって、すなわち、カートリッジケース１を上下方向に貫通するように形成されているとともに、このテープ引出用開口部２を開閉するスライドドア３が摺動自在に設けられている。
【００１８】
スライドドア３は、図３から明らかなように、その閉位置においてテープ引出し用開口部２の前方、上方および下方をそれぞれ覆う前壁部３ａ、上壁部３ｂおよび下壁部３ｃを備えて、コ字状の断面形状を有しており、上壁部３ｂおよび下壁部３ｃの後端には、ほぼ直角に内方へ折れ曲がる係合縁３ｄおよび３ｅが形成され、これら係合縁３ｄおよび３ｅが、カートリッジケース１の上面および下面にそれぞれ形成されたガイド溝６および７にそれぞれ係合していることにより、スライドドア３は、図１に示す閉位置と、図２に示す開位置との間で摺動可能に設けられている。
【００１９】
スライドドア３は、例えば図示しないバネ部材によって図１に示す閉位置に向かって付勢され、かつ閉位置に保持されるようになっており、このスライドドア３の前端縁（スライドドア３が閉じるときのリーディング側のエッジ）には、曲げ部３ｆが形成されている。一方、カートリッジケース１には、そのテープ引出用開口部２に隣接する側壁の端部に、閉位置にあるスライドドア３の上記曲げ部３ｆを上記側壁に臨ませた態様で収容する切欠き５が形成されている。
【００２０】
リーダーピン４は、図３に示すように、磁気テープ１０の先端部をクランプした中央軸部４ａの上下に細径部４ｂ，４ｂを備え、かつその両端部にフランジ４ｃ，４ｃを備えている。このリーダーピン４をテープ引出し用開口部２内に保持するために、カートリッジケース１の上ハーフ１ａの下面と下ハーフ１ｂの上面とには、そこから前方へ延びる上下一対の保持アーム８，８が取り付けられ、リーダーピン４は保持アーム８，８の先端部に保持されている。
【００２１】
各保持アーム８は、上ハーフ１ａの下面と下ハーフ１ｂの上面とに基端を固定された柄部８ａと、この柄部８ａの先端に二股状の弾性保持片８ｂ，８ｂを備え、リーダーピン４の各細径部４ｂを保持片８ｂ，８ｂ間に弾性的に、かつ着脱可能に挟持するように構成されている。
【００２２】
そして、この磁気テープカートリッジが対応する外部記憶装置等の記録再生装置に図２の矢Ａ方向に挿入されると、下ハーフ１ｂの中央部の開口に露呈している図示しないリールの係合歯に装置側の回転駆動手段が係合するとともに、磁気テープカートリッジの外部装置への挿入に伴って、装置側の部材がスライドドア３の曲げ部３ｆに当接してスライドドア３が開かれ、かつテープ引出し機構により上記フランジ４ｃ，４ｃの各端面を上下から掴まれたリーダーピン４が磁気テープとともに装置側に引き込まれることによって、磁気テープが装置側にセットされ、磁気テープに対するデータの書込み／読出しが可能になる。
【００２３】
なお、外部装置のテープ引出し機構によるリーダーピン４のチャッキングを容易にするために、図３に示すような凹部９を各フランジ４ｃの上下端面に形成してもよい。
【００２４】
本実施の形態によれば、テープ引出し用開口部２が、カートリッジケース１の側面から上面および下面に跨がって形成されているので、カートリッジケース１内に保持されたリーダーピン４の上方および下方にはカートリッジケース１の壁が存在しないことになり、外部装置のテープ引出し機構によって、リーダーピン４を上下から掴むことが可能になるのみでなく、リーダーピン４の軸線方向の寸法を長くすることも可能になり、テープ引出し機構の設計の自由度を増大させることができる。
【００２５】
そして、スライドドア３が、その閉位置においてテープ引出し用開口部２の前方、上方および下方をそれぞれ覆う前壁部３ａ、上壁部３ｂおよび下壁部３ｃを備えていることにより、テープ引出し用開口部２が、カートリッジケース１の側面から上面および下面に跨がって形成されている場合であっても、閉位置に移動したスライドドア３によってテープ引出し用開口部２を完全に覆うことができる。
【００２６】
また、リーダーピン４が、二股状の弾性保持片８ｂ，８ｂを備えた保持アーム８によってカートリッジケース１内に保持されるようになっているから、カートリッジケース１に対するリーダーピン４の着脱も容易である。
【００２７】
なお、図示の実施の形態では、保持アーム８，８がカートリッジケース１の上ハーフ１ａの下面と下ハーフ１ｂの上面とに設けられているが、これに代わり、水平面内でＬ字状に曲げられた保持アームをカートリッジケース１の側壁に設けてもよい。
【図面の簡単な説明】
【図１】本発明による磁気テープカートリッジを、スライドドアの閉状態で示す斜視図
【図２】図１の磁気テープカートリッジを、スライドドアの開状態で示す斜視図
【図３】図２の要部の拡大断面図
【図４】図３のIV−IV線に沿った断面図
【符号の説明】
１    カートリッジケース
１ａ    上ハーフ
１ｂ    下ハーフ
２    テープ引出用開口部
３    スライドドア
３ａ    スライドドアの前壁部
３ｂ    スライドドアの上壁部
３ｃ    スライドドアの下壁部
４    リーダーピン
６，７    ガイド溝
８    保持アーム
８ｂ    弾性保持片
１０    磁気テープ
【図１】
0003989622.tif 000002
【図２】
0003989622.tif 000003
【図３】
0003989622.tif 000004
【図４】
0003989622.tif 000005